【事件の表示】
　特願２００１−３０８８２８「カード用コネクタ」拒絶査定不服審判事件〔平成１５年４月１８日出願公開、特開２００３−１１５３５４〕について、次のとおり審決する。
【結　論】
　本件審判の請求は、成り立たない。
【理　由】
第１　手続の経緯
　本件に係る出願（以下、「本願」という。）は、平成１３年１０月４日の特許出願であって、平成１７年６月２０日付けで拒絶査定がされ（発送日：平成１７年６月２４日）、これに対して、同年７月２５日に拒絶査定不服審判が請求されると共に同年８月２４日付けで明細書について手続補正がされたものである。
　
　
第２　平成１７年８月２４日付けの手続補正についての補正却下の決定
［補正却下の決定の結論］
　　平成１７年８月２４日付けの手続補正を却下する。　
　　　　　　　　　　　　　
［理由］
１．補正後の本願発明
　平成１７年８月２４日付けの手続補正（以下、「本件補正」という。）により、特許請求の範囲の請求項１は、次のとおりに補正された。　
　　　　　　
「電気的な絶縁性のある材料で成形され、カードの電極部に電気的に接続されるコンタクト端子を有し該カードが選択的に装着されるカード収容部が設けられるベース部材と、
　前記ベース部材の内側に前記カードの前記カード収容部に対する着脱方向に沿って移動可能に配され、該カードを保持し選択的に排出するイジェクタ、および、該イジェクタを前記カード収容部から前記カードを排出する方向に付勢する圧縮ばねを含むイジェクト機構部と、
　金属製材料で作られ、前記ベース部材および前記イジェクト機構部を覆うカバー部材とを備え、
　前記圧縮ばねは、前記カバー部材における一方側に配され前記イジェクタの位置を規制するストッパ部材と、前記カバー部材の他方側の内面部との間に該イジェクタを介して保持され、
該圧縮ばねの一端が該カバー部材の内面部に当接することを特徴とするカード用コネクタ。」　　
　　　　　　　　　　　　　
　上記補正は、請求項１に記載した発明を特定するために必要な事項である「ベース部材」について「電気的な絶縁性のある材料で成形され、」と限定し、同じく「イジェクタ」の配置について「（前記ベース部材）の内側に前記カードの前記カード収容部に対する着脱方向に沿って移動可能に」との限定を付加し、同じく「付勢部材」について「圧縮ばね」と限定すると共に「該イジェクタを付勢する」を「該イジェクタを前記カード収容部から前記カードを排出する方向に付勢する」と限定し、同じく「カバー部材」について「耐熱性材料で作られ、」を「金属製材料で作られ、」と限定し、さらに「前記付勢部材の一端が前記イジェクタに係合され、該付勢部材の他端が前記カバー部材に支持される」を「前記圧縮ばねは、前記カバー部材における一方側に配され前記イジェクタの位置を規制するストッパ部材と、前記カバー部材の他方側の内面部との間に該イジェクタを介して保持され、該圧縮ばねの一端が該カバー部材の内面部に当接する」と限定するものであって、平成１８年改正前特許法第１７条の２第４項第２号の特許請求の範囲の減縮を目的とするものに該当する。　　
　　　　　　　　　　
　そこで、本件補正後の前記請求項１に記載された発明（以下、「本願補正発明」という。）が特許出願の際独立して特許を受けることができるものであるか否か（平成１８年改正前特許法第１７条の２第５項において準用する特許法第１２６条第５項の規定に適合するか否か）について以下検討する。　　　　　　　　　　　　
２．刊行物
（１）刊行物１
　原査定の拒絶の理由に示された特開２０００−２５１０２５号公報（以下、「刊行物１」という。）には、図面と共に次の事項が記載されている。　　　　　　　　　　　　　　　　
ア．「コネクタハウジング１はベース２とカバー３から成る。ベース２及びカバー３は合成樹脂等の絶縁材で夫々一体成形するか、又はベース２を絶縁材で一体成形し、カバー３は板金の打ち抜き曲げ加工品で形成する。」（段落【００２０】）
　
イ．「上記カバー３は天板部４と、該天板部４の左右側辺に沿うカード挿入方向に延びる左右側板５を有し、該カバー３をベース２に抱き合わせ、カバー３の左右側板５に設けた係止爪６をベース２の左右側縁に形成した凹所７に折曲係合してコネクタハウジング１を組み立て、ベース２とカバー３間にカード収容スペース８を形成し、該カード収容スペース８をコネクタハウジング１の後側面において開口させてカード受口９とする。」（段落【００２１】）
　
ウ．「上記ベース２にはＩＣカード１２の表面に配置された多数の電極パッド１３と加圧接触するための多数のコンタクト１４を植設する。該コンタクト１４はカード挿抜方向に伸びる弾性接片１５を有し、上下に弾性変位可能にする。」（段落【００２２】）
　
エ．「上記カード収容スペース８の一側には、ＩＣカード挿入時に同カード前端面で押圧されてカード挿入方向へ前進し、カード放出弾力を蓄えるカードプッシャー１６を設ける。」（段落【００２４】）　　
　　　　　　　　　　　　
オ．「上記カードプッシャー１６は上記カード挿抜方向に進退動可に配置すると共に、ＩＣカード１２の一側面に沿い延在せるプッシュレバー１７により形成し、該プッシュレバー１７はＩＣカード１２の挿抜を案内するサイド定規を形成している。」（段落【００２５】）　
　
カ．「プッシュレバー１７にはその下面より下方へ突出するスライドガイド３９を一体に設け、他方カード収容スペース８の一側縁から張り出すベース２の張り出し部にカード挿抜方向に延びるガイドスロット４０を設け、このガイドスロット４０に上記スライドガイド３９を滑合してプッシュレバー１７がカード挿抜方向に適正に直線往復動できるようにする。」（段落【００２８】）　
　
キ．「上記プッシュレバー１７をバネ２６にてカードイジェクト方向に弾発する。この弾発手段としてコイルバネ２６を用い、該コイルバネ２６をプッシュレバー１７の長手に亘って設けたカード挿抜方向に延びる溝又は長孔２７に挿入し、コイルバネ２６の一端を溝又は長孔２７の底面に弾接支持すると共に、該溝又は長孔２７から突出する該コイルバネの他端をベース２の前壁２９から突出したバネ受け突起３０に外挿しバネ２６の位置決めを図る。」（段落【００２９】）　
　
ク．「上記コイルバネ２６は前壁２９とバネ受け溝又は長孔２７の底壁間において圧縮され、その弾発力により上記プッシュレバー１７を常にカードイジェクト方向に付勢する。」（段落【００３０】）　
　
ケ．「以上説明したように、電子機器のカード収容スペース内にＩＣカード１２を挿入し、該スペース内に設けたコンタクト１４と接触させ、ＩＣカード１２のイジェクトによって接触を解除するようにしたＩＣカードの接触及び解除機構を構成する。」（段落【００３４】）　
　
コ．「そしてＩＣカード１２の挿入によって押圧されてカード放出弾力を蓄えるプッシュレバー１７、即ちプッシャー１６を備え、該プッシュレバー１７はカード挿入方向とイジェクト方向にＩＣカード１２の一側縁に沿い進退動可に配置され、ＩＣカード１２を挿入した時に上記カードプッシャーを前進位置にロックすると共にカード１２を挿入方向に再押圧することにより、上記ロックを解除してカードプッシャーの放出弾力による後退とＩＣカード１２のイジェクトを許容するロック機構を備える。」（段落【００３５】）
　
サ．「図６に示すように、ＩＣカード１２をカード収容スペース８内に収容していない時においては、カードプッシャー１６はコイルバネ２６の弾発力により後退し、カード受口９の一端にベース３と一体に設けたストッパー２３に当接して待機状態を形成している。」（段落【００４１】）　
　
シ．「図６，図７に示すように、ＩＣカード１２の前端面３７をコネクタハウジング１の前壁２９に当接するまでカード１２を挿入した時、この挿入に伴い受圧斜面３４がプッシュレバー１７の加圧斜面３５を押圧し、該プッシュレバー１７をコイルバネ２６を圧縮しつつ前進させる。」（段落【００４２】）　
　
ス．「次に図１０に示すように、上記ＩＣカード１２の挿入方向への押圧力を解除すると、プッシュレバー１７はコイルバネ２６の弾発力により後退し、加圧斜面３５が受圧斜面３４を押圧し、ＩＣカード１２をカード受口９より一定量突出させる。即ちカードイジェクトを行う。」（段落【００４７】）　　
　　　　　　　　　　　　　　　　
　上記記載事項及び図面の記載内容からみて、刊行物１には次の発明（以下、「刊行物１記載の発明」という。）が記載されていると認める。　
　
「合成樹脂材料で成形され、ＩＣカードの多数の電極パッドに電気的に接続される多数のコンタクトを有し該カードが選択的に装着されるカード収容スペースが設けられるベースと、
　前記ベースの内側に前記カードの前記カード収容スペースに対する着脱方向に沿って移動可能に配され、該カードを保持し選択的に排出するカードプッシャー、および、該カードプッシャーを前記カード収容スペースから前記カードを排出する方向に付勢するコイルバネを含むカードイジェクト機構と、
　板金の打ち抜き曲げ加工品で作られ、前記ベースおよび前記カードイジェクト機構を覆うカバーとを備え、
　前記コイルバネは、前記ベースにおける一方側に配され前記カードプッシャーの位置を規制するストッパーと、前記ベースの他方側の内面部との間に該カードプッシャーを介して保持され、該圧縮ばねの一端が該ベースの内面部に当接するＩＣカードの接触及び解除機構。」　　
　　　　　　　　　　　　　
（２）刊行物２
　同じく原査定の拒絶の理由に示された特開２０００−２２７９４５号公報（以下、「刊行物２」という。）には、図面と共に次の事項が記載されている。
　　
ア．「【発明が属する技術分野】本発明は、カードコネクタに関し、さらに詳細にはＩＣカード等のカードの挿入完了時においてカードをコネクタ内に確実に保持する薄型のカードコネクタに関する。」（段落【０００１】）　　　　　　　　　　　　　　　
イ．「図１ないし図６において、カードコネクタ１は、ＩＣカード３を受容するハウジング１０と、ＩＣカード３を担持するプレート３０と、ハウジング１０を覆うシェル（カバー部）５０と、ＩＣカード３の導電パッド５と接触するコンタクト６０，６１と、ＩＣカード３を排出するイジェクト機構７０とを含む。ハウジング１０は、絶縁性の適当な樹脂から成形され、底壁１１、両側壁１２，１３、前方端壁１４、及び後方端壁１５から画定される偏平な略箱状をなす。後方端壁１４には、ＩＣカード３を受容する開口１６が設けられていると共に、幅方向の中央にはＩＣカード３の取出しを容易にする円弧状の凹部１７が形成されている。」（段落【００１２】）
　
ウ．「シェル５０は、ステンレス鋼等の金属板を撃打ち抜き加工及び曲げ加工して形成され、上壁５１及び両側壁５２，５３から画定される偏平な枠状をなす。上壁５１の略中央の両側には、慣性ばね９５の両端を保持するための保持部５４，５４が、下方に切り起こされて設けられている。」（段落【００１４】）
　
エ．「イジェクト機構７０は、ＩＣカード３を排出する第２イジェクトレバー７１、プレート３０をＩＣカード排出方向と同方向に移動させる第１イジェクトレバー７５、これらのイジェクトレバー７１，７５を駆動する押し棒８０、及び押し棒８０の後方端に取付けられる押しボタン８５を含む。第２イジェクトレバー７１はステンレス鋼等の金属板から形成される。第２イジェクトレバー７１は、その一端近傍の軸孔７２がシェル５０の軸部５５に軸支されると共に、一端に押し棒８０の係合段部８１ａと係合可能な端部７３を、また他端にＩＣカード３の前端と係合してＩＣカード３を排出する排出爪７４を有する。第１イジェクトレバー７５も同様に、ステンレス鋼等の金属板から形成され、軸孔７６がシェル５０の軸部５５に軸支されると共に、一端に押し棒８０の係合段部８１ｂとの係合部７７を、他端にプレート３０を移動させる移動爪７８を有する。第１及び第２イジェクトレバー７５，７１は、上下方向に重なって同一の軸部５５に軸支されるので、それらを取り付けるための大きなスペースを必要としない。押し棒８０は、ステンレス鋼等の金属板から形成され、ハウジング１０の側壁１２及びシェル５０の側壁５３間に形成される収容空間内を、前後方向に移動可能に収容される。押し棒８０は、その前方端に２個の係合段部８１ａ，８１ｂからなる係合部８１を、略中央に爪８２を、後方端に押しボタン８５内に圧入される圧入部８３を有する。押しボタン８５は、適当な樹脂から成形され、前端側に押し棒８０の圧入部８３を受容する筒部８６を、後端側に操作者により押圧される操作部８７を有する。第２イジェクトレバー７１は、第２イジェクトレバー７１とシェル５０の上壁５１との間に懸架された第１ばね８８（図５参照）により、排出爪７４側が常に略後方へ付勢されている。また、第１イジェクトレバー７５は、第１イジェクトレバー７５とシェル５０の側壁５２との間に懸架された第２ばね８９（図５参照）により、移動爪７８側が常に略後方へ付勢されている。さらに、押し棒８０は、押し棒８０とシェル５０の側壁５２との間に懸架された第３ばね９０（図５参照）により、常に後方へ付勢されている。」（段落【００１６】）　　
　　
　上記記載事項及び図面の記載からみて、刊行物２には次の発明（以下、「刊行物２記載の発明」という。）が記載されていると認める。　
　　　
「電気的な絶縁性のある材料で成形され、ＩＣカードの導電パッドに電気的に接続されるコンタクトを有し該カードが選択的に装着されるカード収容部が設けられるハウジングと、
　前記ハウジングの内側に前記カードの着脱方向に沿って移動可能に配され、該カードを保持し選択的に排出する第１イジェクトレバー、第２イジェクトレバー及びこれらイジェクトレバーを駆動する押し棒等からなるイジェクト機構、並びに、該イジェクト機構を前記カード収容部から前記カードを排出する方向に付勢する第１ばね、第２ばね及び第３ばねを含むイジェクト機構部と、
　ステンレス鋼等の金属板で作られ、前記ハウジング、イジェクト機構並びに第１ばね、第２ばね及び第３ばねを覆うシェルとを備えたカードコネクタにおいて、
　前記第１ばね、第２ばね及び第３ばねは、それぞれ、第２イジェクトレバー、第１イジェクトレバー、押し棒とシェルとの間に懸架したカードコネクタ。」
　　　
３．対比　
　本願補正発明と刊行物１記載の発明を対比すると、刊行物１記載の発明における「ＩＣカード」、「電極パッド」、「コンタクト」、「カード収容スペース」、「ベース」、「カードプッシャー」、「コイルバネ」、「カードイジェクト機構」、「板金」、「カバー」、「ストッパー」は、それぞれ、本願補正発明における「カード」、「電極部」、「コンタクト端子」、「カード収容部」、「ベース部材」、「イジェクタ」、「圧縮ばね」、「イジェクト機構部」、「金属製材料」、「カバー部材」、「ストッパ部材」に相当する。　
　また、刊行物１記載の発明における「ＩＣカードの接触及び解除機構」は、ＩＣカードの電極部とベース部材のコンタクト端子を電気的に接続するものであるから、「カード用コネクタ」といえる。
　そうしてみると、両者の一致点及び相違点は、次のとおりである。　
　
［一致点］
「電気的な絶縁性のある材料で成形され、カードの電極部に電気的に接続されるコンタクト端子を有し該カードが選択的に装着されるカード収容部が設けられるベース部材と、
　前記ベース部材の内側に前記カードの前記カード収容部に対する着脱方向に沿って移動可能に配され、該カードを保持し選択的に排出するイジェクタ、および、該イジェクタを前記カード収容部から前記カードを排出する方向に付勢する圧縮ばねを含むイジェクト機構部と、
　金属製材料で作られ、前記ベース部材および前記イジェクト機構部を覆うカバー部材とを備えたカード用コネクタ。」
　　　
［相違点］
　本願補正発明では、圧縮ばねは、カバー部材における一方側に配されイジェクタの位置を規制するストッパ部材と、前記カバー部材の他方側の内面部との間に該イジェクタを介して保持され、該圧縮ばねの一端が該カバー部材の内面部に当接するものであるのに対し、刊行物１記載の発明では、圧縮ばねは、ベース部材における一方側に配されイジェクタの位置を規制するストッパ部材と、前記ベース部材の他方側の内面部との間に該イジェクタを介して保持され、該圧縮ばねの一端が該ベース部材の内面部に当接するものである点。
　　
４．当審の判断
　上記相違点について検討する。
　　　
　本願補正発明と刊行物２記載の発明を対比すると、刊行物２記載の発明における「ＩＣカード」、「導電パッド」、「コンタクト」、「ハウジング」、「イジェクト機構」、「ステンレス鋼等の金属板」、「シェル」、「カードコネクタ」は、それぞれ、本願補正発明における「カード」、「電極部」、「コンタクト端子」、「ベース部材」、「イジェクタ」、「金属製材料」、「カバー部材」、「カード用コネクタ」に相当する。
　したがって、刊行物２記載の発明は、次のように言い換えることができる。　　　　
　　　　　　　　　
「電気的な絶縁性のある材料で成形され、カードの電極部に電気的に接続されるコンタクト端子を有し該カードが選択的に装着されるカード収容部が設けられるベース部材と、
　前記ベース部材の内側に前記カードの着脱方向に沿って移動可能に配され、該カードを保持し選択的に排出する第１イジェクトレバー、第２イジェクトレバー及びこれらイジェクトレバーを駆動する押し棒等からなるイジェクタ、並びに、該イジェクタを前記カード収容部から前記カードを排出する方向に付勢する第１ばね、第２ばね及び第３ばねを含むイジェクト機構部と、
　金属製材料で作られ、前記ベース部材および前記イジェクト機構部を覆うカバー部材とを備えたカード用コネクタにおいて、
　前記第１ばね、第２ばね及び第３ばねは、それぞれ、第２イジェクトレバー、第１イジェクトレバー、押し棒とカバー部材との間に懸架したカード用コネクタ。」　
　
　そうすると、刊行物２記載の発明とは、ベース部材、イジェクト機構部及びカバー部材を備えたカード用コネクタにおいて、イジェクト機構部を構成する部材であるカードを排出する方向に付勢する第１ばね、第２ばね及び第３ばねの一端を、金属製材料で作られたカバー部材に保持させたものということができる。　
　そして、刊行物２記載の発明で用いられている金属製材料で作られた板が、樹脂材料で成形されたものと比べて、強度が強く、また耐熱性を有し、ばねで付勢された状態で加熱されても不所望な熱変形が回避できるものであることは、当業者にとって自明である。　　　
　　　　　　　　　　　　
　したがって、この刊行物２記載の発明を勘案すれば、刊行物１記載の発明において、不所望な熱変形の回避を目的として、圧縮ばねの一端を金属製材料で作られたカバー部材の内面部に当接保持させて、「圧縮ばねは、イジェクタの位置を規制するストッパ部材と、カバー部材の他方側の内面部との間にイジェクタを介して保持され、該圧縮ばねの一端が該カバー部材の内面部に当接する」構成を採用することは、当業者が容易に想到し得たことといえる。　　
　　　　　　　　　
　しかも、本願補正発明により、刊行物１記載の発明及び刊行物２記載の発明から予期される以上の格別顕著な効果が奏されるということもできない。　　　
　よって、本願補正発明は、刊行物１記載の発明及び刊行物２記載の発明に基づいて当業者が容易に発明をすることができたものであるから、特許法第２９条第２項の規定により特許出願の際独立して特許を受けることができない。　　
　　　　　　　　　　　　　　　　　　
５．むすび
　以上から、本件補正は、平成１８年改正前特許法第１７条の２第５項において準用する特許法第１２６条第５項の規定に違反するから、平成１８年改正前特許法第１５９条第１項の規定において読み替えて準用する同法第５３条第１項の規定により却下すべきものである。　　
　　
　
第３　本願発明について
　本件補正は、上記のとおり却下されたので、本願の請求項１に係る発明（以下、「本願発明」という。）は、平成１６年８月２３日付け手続補正書の特許請求の範囲の請求項１に記載された事項により特定される、以下のとおりのものである。　　
　　　　　　　　　　　　　　
「カードの電極部に電気的に接続されるコンタクト端子を有し該カードが選択的に装着されるカード収容部が設けられるベース部材と、
　前記ベース部材に配され前記カードを選択的に排出するイジェクタおよび該イジェクタを付勢する付勢部材を含むイジェクト機構部と、
　耐熱性材料で作られ、前記ベース部材および前記イジェクト機構部を覆うカバー部材とを備え、
　前記付勢部材の一端が前記イジェクタに係合され、該付勢部材の他端が前記カバー部材に支持されることを特徴とするカード用コネクタ。」　　　　　　　
１．刊行物
　刊行物１、２の記載事項及び刊行物１、２記載の発明は、「第２　２．刊行物」に記載したとおりである。　　
　　　　　　　　　　　　　
２．対比・判断
　本願発明は、「第２」で検討した本願補正発明を特定するために必要な事項から、「ベース部材」について「電気的な絶縁性のある材料で成形され、」との限定をなくし、同じく「イジェクタ」の配置について「（前記ベース部材）の内側に前記カードの前記カード収容部に対する着脱方向に沿って移動可能に」との限定をなくし、同じく「圧縮ばね」について「付勢部材」と上位概念化すると共に「（該イジェクタを）前記カード収容部から前記カードを排出する方向に（付勢する）」との限定をなくし、同じく「カバー部材」について「金属製材料で作られ、」ということを「耐熱性材料で作られ、」と上位概念化し、さらに「前記圧縮ばねは、前記カバー部材における一方側に配され前記イジェクタの位置を規制するストッパ部材と、前記カバー部材の他方側の内面部との間に該イジェクタを介して保持され、該圧縮ばねの一端が該カバー部材の内面部に当接する」を「前記付勢部材の一端が前記イジェクタに係合され、該付勢部材の他端が前記カバー部材に支持される」と上位概念化してなるものといえる。
　そうすると、本願発明を特定するために必要な事項を全て含み、さらに他の事項を発明を特定するために必要な事項として付加したものに相当する本願補正発明が、「第２　３．対比」及び「第２　４．当審の判断」に記載したとおり、刊行物１記載の発明及び刊行物２記載の発明に基づいて、当業者が容易に発明をすることができたものであるから、本願発明も、同様の理由により、刊行物１記載の発明及び刊行物２記載の発明に基づいて当業者が容易に発明をすることができたものといえる。　　
　　　　　　　　
３．むすび
　以上のとおり、本願発明は、刊行物１記載の発明及び刊行物２記載の発明に基づいて当業者が容易に発明をすることができたものであるから、特許法第２９条第２項の規定により特許を受けることができない。
　したがって、本願の他の請求項に係る発明について検討するまでもなく、本願は、拒絶されるべきものである。
　
　よって、結論のとおり審決する。